(57)【要約】液体透過性上部シート（３）、液体不透過性下部シート（２）及びそれらの間に封入された吸収体（４）を含む、おむつ及び失禁ガードの如き吸収物品であって、物品は縦方向で見ると前部分（５）、後部分（６）及びそれらの間に配置された股部分（７）を有し、さらに第一ベルト部分（９ａ）及び第二ベルト部分（９ｂ）を有する。ベルト部分（９ａ，９ｂ）は物品の後部分（６）又は前部分（５）に取付けられ、第一固定手段（１０）は第二部ベルト部分（９ｂ）上に取付けられかつ使用者の腰のまわりに第一ベルト部分（９ａ）に対して取付けられることを意図され、物品がパンツ状形状をとってベルト部分（９ａ，９ｂ）がパンツの腰部分の一部を形成するような方法で前記前部分（５）又は後部分（６）がベルト部分（９ａ，９ｂ）に対して取付けられることを意図される第二固定手段（８）を有する。第一ベルト部分（９ａ）の外側は前記第一固定手段（１０）のための受入表面を構成し、第一ベルト部分（９ａ）は前記第一固定手段（１０）を担持する第二ベルト部分（９ｂ）より少なくとも１０％長い。【選択図】図１
2004534614.tif 000002
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、物品は縦方向で見ると前部分（５）、後部分（６）及びそれらの間に配置された股部分（７）を有し、さらに第一ベルト部分（９ａ）及び第二ベルト部分（９ｂ）を有し、それらのベルト部分（９ａ，９ｂ）が物品の後部分（６）又は前部分（５）に取付けられ、第一固定手段（１０）は第二部ベルト部分（９ｂ）上に取付けられかつ使用者の腰のまわりに第一ベルト部分（９ａ）に対して取付けられることを意図され、物品がパンツ状形状をとってベルト部分（９ａ，９ｂ）がパンツの腰部分の一部を形成するような方法で前記前部分（５）又は後部分（６）がベルト部分（９ａ，９ｂ）に対して取付けられることを意図される第二固定手段（８）を有する吸収物品において、第一ベルト部分（９ａ）の外側が前記第一固定手段（１０）のための受入表面を構成し、第一ベルト部分（９ａ）が前記第一固定手段（１０）を担持する第二ベルト部分（９ｂ）より少なくとも１０％長いことを特徴とする吸収物品。
【請求項２】
第一ベルト部分（９ａ）が第二ベルト部分（９ｂ）より少なくとも１５％、好ましくは少なくとも２０％長いことを特徴とする請求項１に記載の吸収物品。
【請求項３】
第一ベルト部分（９ａ）が第二ベルト部分（９ｂ）より少なくとも３０％、好ましくは少なくとも５０％長いことを特徴とする請求項１に記載の吸収物品。
【請求項４】
第一ベルト部分（９ａ）が第二ベルト部分（９ｂ）より少なくとも５ｃｍ長いことを特徴とする請求項１に記載の吸収物品。
【請求項５】
第一ベルト部分（９ａ）が第二ベルト部分（９ｂ）より少なくとも８ｃｍ、好ましくは少なくとも１０ｃｍ長いことを特徴とする請求項１に記載の吸収物品。
【請求項６】
第一固定手段（１０）が第一ベルト部分（９ａ）上に配置された受入表面に付着する能力を有するフックアンドループタイプのファスナーに対するフック部材からなることを特徴とする請求項１に記載の吸収物品。
【発明の詳細な説明】
【０００１】
技術分野
本発明は、液体透過性上部シート、液体不透過性下部シート及びそれらの間に封入された吸収体を含む、おむつ及び失禁ガードの如き吸収物品であって、物品は縦方向で見ると前部分、後部分及びそれらの間に配置された股部分を有し、さらに第一ベルト部分及び第二ベルト部分を有し、それらのベルト部分が物品の後部分又は前部分に取付けられ、第一固定手段は第二部ベルト部分上に取付けられかつ使用者の腰のまわりに第一ベルト部分に対して取付けられることを意図され、物品がパンツ状形状をとってベルト部分がパンツの腰部分の一部を形成するような方法で前記前部分又は後部分がベルト部分に対して取付けられることを意図される第二固定手段を有する吸収物品に関する。
【０００２】
発明の背景
失禁成人のためのおむつ及び失禁ガードは使用者の体に対して吸収体を適所に保持する衣料部分及び使用者が動いているときでも衣料部分を適所に保持する固定手段を通常有する。一般的なタイプの固定手段はタッチアンドクローズタイプのフックアンドループファスナー又は接着テープであり、それらは吸収物品の前及び後部分を互いに直接取付ける。さらにベルトによって物品の前及び後部分を取付け、適合性を調整する可能性が改良されることが例えばＥＰ−Ａ  ０２８７３８８，ＥＰ−Ａ  ０４０９３０７，ＥＰ−Ａ  ０５２８２８２，ＥＰ−Ａ  ０６０５０１２及びＦＲ−Ａ  ２５８６５５８を通して知られている。ベルトはさらに、特に立っている人のおむつ又は失禁ガードの変化の単純化に導く。
【０００３】
一般的なタイプのベルトおむつでは、ベルト部分はまず患者の腰のまわりに取付けられ、次いでおむつの前部分はフック部材が物品の前部分上に配置されているフックアンドループファスナーを使用してベルトの外側に取付けられ、それによってベルトの外側はフックアンドループタイプファスナーのループ部材又は受入表面として機能する。一つの問題はこの種のベルトがその長さを調整する能力に関して制限された可撓性を有することである。ベルト部分は通常、フックアンドループタイプファスナーを使用して互いに取付けられる。下部シート材料は通常プラスチックフィルムである。もしベルトが小さな腰サイズを有する人に適用されるなら、そのときベルト部分はおむつの後部分上の材料に対して全面的に患者のまわりに達し、フックアンドループファスナーは取付けることができない。これは劣悪な適合性に導く。例えば小さな腰サイズを有する小さなサイズの人に適合する中程度のサイズの物品に対して、腰サイズの改良された調整を可能にするベルトが要求される。同じことは特に大きな人に大きなサイズの物品のサイズを適応することにも当てはまり、その場合ベルト部分は問題の人の腰のまわりに達しない。これは病院及び老人の世話において極めて重要であるだろう。なぜならば少ない数のサイズの物品によってできるだけ多くの患者に使用されることができるからである。
【０００４】
発明の概要
本発明の目的は極めて異なる腰サイズを有する人に使用されることができるおむつ又は失禁ガードを提供することである。この目的は、第一ベルト部分の外側が前記第一固定手段のための受入表面を構成し、第一ベルト部分が前記第一固定手段を担持する第二ベルト部分より少なくとも１０％長いことによって解決される。
【０００５】
このデザインは、第一固定手段のための受入表面が第一固定手段を担持するベルト部分の長さより長くされているので、物品の腰サイズを使用者のサイズに調整する改良された可能性に導き、それによって特定サイズのベルト付物品をより多くの人に使用することができる。
【０００６】
図面の簡単な記述
本発明は添付図面に示された例を参照して以下により詳細に記載されるだろう。
図１は本発明によるおむつ又は失禁ガードの透視図を概略的に示す。
【０００７】
発明の詳述
図１は液体不透過性下部シート２、液体透過性上部シート３及びそれらの間に封入された吸収体４を含む、おむつ又は失禁ガード１の一例を示す。液体透過性上部シート３は不織材料、例えば連続フィラメントのスパンボンド材料、メルトブロー材料、結合されカードされた繊維ウェブ又は有孔プラスチックフィルムからなることができる。液体不透過性下部シート２はプラスチックフィルム、液体不透過性材料又は液体透過に抵抗する疎水性不織材料で被覆された不織材料からなってもよい。上部シート３及び下部シート２材料は吸収体４より平面において幾分大きい範囲を有し、その縁の外側に延びる。層２及び３は例えば接着又は熱又は超音波による溶接によってその突出する部分内で互いに接続される。
【０００８】
吸収体４はいかなる従来の種類からなることもできる。一般的な吸収材料の例はセルロース毛羽パルプ、ティッシュ層、高吸収ポリマー（いわゆる超吸収材）、吸収性フォーム材料、吸収性不織布などである。吸収体においてセルロース毛羽パルプを超吸収材と混合することは一般的である。また、液体取得能力、液体分布能力及び貯蔵能力に関して異なる特性を有する異なる材料の層を含む吸収体を持つことは一般的である。それは当業者に良く知られており、それゆえ詳細に述べる必要はない。例えばベビー用おむつ及び失禁ガードに対して一般的である薄い吸収体はセルロース毛羽パルプ及び超吸収材の圧縮された混合又は層状構造を含むことが多い。
【０００９】
おむつ／失禁ガードは吸収性パンツのように装着者の胴の下部を包囲することを意図される。それは使用中、使用者の体の前部分上に装着されることを意図される前部分５、使用中、使用者の体の後部分上に装着されることを意図される後部分６、及び脚の間で使用者の股部分に装着されることを意図されかつ前及び後部分の間に位置される狭い股部分７を含む。
【００１０】
一対のベルト部分９ａ，９ｂは一端をおむつの後部分６に取付けられる（例えば接着又は超音波溶接される）。ベルト部分９ａ，９ｂはそれらの対向端で第一固定手段１０によって一緒に固定されることを意図される。固定手段１０はフックアンドループタイプのファスナー又はテープタブであってもよい。ベルト部分９ａ，９ｂの外側部分は固定手段１０のための受入表面を含む。ベルト部分９ａ，９ｂは体に対して面することを意図されるその内側に柔らかい、皮膚に優しい材料、好ましくは不織材料を有する。固定手段１０は右ベルト部分９ａ上に位置されることが好ましい。固定手段１０の位置は当然他の場所にあってもよい。例えば左ベルト部分は固定手段１０を担持してもよい。しかしながら、ほとんどの人は右ききであるので、前述及び後述の例がおそらく最も好ましい。
【００１１】
フックアンドループタイプのファスナーの定義は機械的固定装置を意味し、一つの部分がフック材料を含む表面であり、他の部分がループ材料を有する受入表面である。ループ材料は好ましくは不織材料からなることが好ましい。“フック材料”という用語はフックを有する材料に限定するものとしてみなされるべきではなく、相補的受入表面に機械的に取付けることができる様々な形状を有する全ての材料を含む。“ループ材料”という用語は別個に形成されたループを有しかつ相補的フック材料のフック部材に取付ける能力を有する材料に限定するものとしてみなされるべきではなく、繊維状不織材料も含み、そこでは相補的フック材料表面からのフック部材料は別個の繊維に取付けることができ、これらの繊維が別個のループに造形されることはない。
【００１２】
前部分５の固定手段８はおむつ／失禁ガードを所望のパンツ状形状に固定するためにベルト部分９ａ，９ｂの外側に対して取付けられることを意図される。固定手段８はフックアンドループタイプのファスナー又はテープタブであることができる。別の例によれば、ベルト部分９ａ，９ｂはおむつの前部分５に取付けられ、従って装着者の背中上で固定されることを意図される。固定手段８は次いでおむつの後部分６上に配置される。
【００１３】
ベルト部分９ａ，９ｂの幅は５〜２０ｃｍ、好ましくは７〜１５ｃｍであることが好ましい。ベルト部分９はベルトの外側を形成するキャリア材料と、使用者の皮膚と直接接触することを意図されるベルトの内側を形成する柔らかい不織材料の積層体であることが好ましい。ベルトの内側のために好適な不織材料は例えばポリプロピレン又はポリエチレン繊維のスパンボンド材料であることができる。複合繊維を使用してもよい。別の好適な不織材料は例えばポリプロピレン、ポリエステル又は複合繊維のカードされ熱結合された材料であることができる。例えば不織布又は別の好適な材料をキャリア材料として使用してもよい。キャリア材料は取付手段８及び１０の両方のための受入表面として機能するように適応されるべきである。ベルト部分における材料として弾性積層体を使用することも好適である。
【００１４】
本発明によれば、第一ベルト部分９ａ、好ましくは左ベルト部分９ａは他のベルト部分９ｂより少なくとも１０％、好ましくは少なくとも１５％、最も好ましくは少なくとも２０％長い。ベルト部分の長さ１１は有効長である。即ち、長さ１１は後部分６の取付部分から計算される。おむつが使用者に適用されるとき、まず第一ベルト部分は第二ベルト部分９ｂを第一ベルト部分９ａ上に重なるようにもたらされる。次いで固定手段１０、即ち短い方のベルト部分９ｂに配置されるフック部材１０はベルト部分９ａの外側上にある受入表面に取付けられる。
【００１５】
成人装着者のために意図された失禁製品のための一つの例では、第一ベルト部分９ａの長さは４０〜６０ｃｍ、好ましくは４５〜５５ｃｍで変化してもよい。他のベルト部分９ｂの長さは３５〜５０ｃｍ、好ましくは３８〜４５ｃｍで変化してもよい。大きなサイズのおむつが極めて大きい腰サイズを有する使用者に適用されるとき、まず第一ベルト部分は第二ベルト部分９ｂを第一ベルト部分９ａ上に重なるようにもたらされる。短い方の第二ベルト部分９ｂ上に配置される固定手段１０は次いでベルト部分９ａの外側上に配置される固定手段１０のための延長された受入表面に全面的に達しそれに付着する。もしベルト部分９ａ，９ｂが等しい長さであったなら、そのとき固定手段１０を担持するベルト部分はベルト部分９ａの外側上に配置される固定手段１０のための受入表面に達せず、そのためこのベルト部分９ａに付着することができない。本発明によれば、固定手段１０のための受入表面は第一ベルト部分９ａが長くされているので延長されており、それによっておむつの腰サイズを増大する可能性が増加される。大きなサイズのおむつはこのようにして極めて大きいサイズの人に適合するために適応されることができる。この例では固定手段１０はフックアンドループタイプのファスナー又はテープタブであることができる。
【００１６】
第二例では第一ベルト部分９ａは第二ベルト部分９ｂより少なくとも５０％長い。成人装着者のために意図された失禁製品のための第一ベルト部分９ａの長さは３５〜５５ｃｍ、好ましくは４０〜５０ｃｍで変化してもよい。他のベルト部分９ｂの長さは１５〜３５ｃｍ、好ましくは２０〜３０ｃｍで変化してもよい。使用者が小さな腰サイズを有するとき、固定手段１０を担持するベルト部分９ｂはベルト部分９ａ，９ｂが等しい長さであっても物品の後部分６上の下部シート材料２に全面的に達するだろう。下部シート材料２は通常、プラスチックフィルムであるので、フックアンドループタイプのファスナーに対するフック部材である固定手段１０はこの種の下部シート２に取付けることができないだろう。本発明によれば、第一ベルト部分９ａは第二ベルト部分９ｂより長くされ、それによっておむつの腰サイズを減少する可能性が増加される。中程度のサイズのおむつはこのようにして小さなサイズの人に適合するために適応されることができる。
【００１７】
もし後部分６の割合又はデザインが図１に示された例とは異なるなら、そのときベルト部分の長さは後部分６上のある位置から推定されることができるだろう。物品の後部分６上のある位置から計算されたベルト部分９ａの長さは小さなサイズに対しては約５２〜７６ｃｍであり、ベルト部分９ｂの長さは３５〜５６ｃｍである。大きなサイズに対しては、物品の後部分６上のある位置から計算されたベルト部分９ａの長さは４７〜８１ｃｍであり、ベルト部分９ｂの長さは５２〜７１ｃｍである。もし本発明によるベルト部分が子供のためのベルトを与えられた物品に使用されるなら、そのとき物品は子供のために好適な割合及び長さに適応されなければならないだろう。上に与えられた長さはオンライン製造では所定の値から＋／−０．５ｃｍはずれうる。本発明はかかる差を含むことも意図される。
【００１８】
おむつは適合性の残るサイズに依存して様々な人に適応されてもよい。それは同じおむつサイズが増大した数の人に使用されうるとき、例えば病院及び老人ホームにおいて高いフレキシビリティに導く。
【００１９】
本発明はもちろん上述しかつ図面に示された例に限定されず、特許請求の範囲内で変更可能である。
【図面の簡単な説明】
【００２０】
【図１】本発明によるおむつ又は失禁ガードの透視図を概略的に示す。
【図１】
2004534614.tif 000003
【国際公開パンフレット】
2004534614.tif 000004
2004534614.tif 000005
2004534614.tif 000006
2004534614.tif 000007
2004534614.tif 000008
2004534614.tif 000009
2004534614.tif 000010
2004534614.tif 000011
2004534614.tif 000012
2004534614.tif 000013
【手続補正書】
【提出日】平成15年7月3日(2003.7.3)
【手続補正１】
【補正対象書類名】特許請求の範囲
【補正対象項目名】全文
【補正方法】変更
【補正の内容】
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、物品は縦方向で見ると前部分（５）、後部分（６）及びそれらの間に配置された股部分（７）を有し、さらに第一ベルト部分（９ａ）及び第二ベルト部分（９ｂ）を有し、それらのベルト部分（９ａ，９ｂ）が物品の後部分（６）又は前部分（５）に取付けられ、第一固定手段（１０）は第二部ベルト部分（９ｂ）上に取付けられかつ使用者の腰のまわりに第一ベルト部分（９ａ）に対して取付け可能であり、物品がパンツ状形状をとってベルト部分（９ａ，９ｂ）がパンツの腰部分の一部を形成するような方法で前記前部分（５）又は後部分（６）がベルト部分（９ａ，９ｂ）に対して取付け可能である第二固定手段（８）を有する吸収物品において、第一ベルト部分（９ａ）の外側が前記第一固定手段（１０）のための受入表面を構成し、第一ベルト部分（９ａ）が前記第一固定手段（１０）を担持する第二ベルト部分（９ｂ）より少なくとも１０％長いことを特徴とする吸収物品。
【請求項２】
第一ベルト部分（９ａ）が第二ベルト部分（９ｂ）より少なくとも１５％、好ましくは少なくとも２０％長いことを特徴とする請求項１に記載の吸収物品。
【請求項３】
第一ベルト部分（９ａ）が第二ベルト部分（９ｂ）より少なくとも３０％、好ましくは少なくとも５０％長いことを特徴とする請求項１に記載の吸収物品。
【請求項４】
第一ベルト部分（９ａ）が第二ベルト部分（９ｂ）より少なくとも５ｃｍ長いことを特徴とする請求項１に記載の吸収物品。
【請求項５】
第一ベルト部分（９ａ）が第二ベルト部分（９ｂ）より少なくとも８ｃｍ、好ましくは少なくとも１０ｃｍ長いことを特徴とする請求項１に記載の吸収物品。
【請求項６】
第一固定手段（１０）が第一ベルト部分（９ａ）上に配置された受入表面に付着する能力を有するフックアンドループタイプのファスナーに対するフック部材からなることを特徴とする請求項１に記載の吸収物品。
【国際調査報告】
2004534614.tif 000014
2004534614.tif 000015
2004534614.tif 000016